(57)【要約】【課題】洗濯物を干さない時、予め物干し竿を物干し竿掛けより取り外し他の場所に保管収納することもなく、簡単にバルコニー内部側に突出している物干し竿支持アームを折り畳み収納でき、該収納機構が、足掛かり等の構造上の欠陥を生じさせない折り畳み収納型物干し掛けを提供する。【解決手段】回転板１４上で両端を固定される物干し竿支持アーム７は、棒状部材１７、１７’の立ち上がり部で物干し竿１６ａ、１６ｂ、１６ｃ等の保持収納部１８を形成し、前記回転板１４の回転により物干し竿１６ａ、１６ｂ、１６ｃを前記保持収納部１８に装架したままで前記物干し竿支持アーム７を折り畳み収納する。【選択図】図１
2004305448.tif 000002
【特許請求の範囲】
【請求項１】
回転板１４上で両端を固定される物干し竿支持アーム７は、棒状部材１７、１７’を折り曲げて物干し竿を装架させるＵ字型フック１９ａ、１９ｂ、１９ｃ等を形成した如く製作され、前記回転板１４上の棒状部材１７、１７’の立ち上がり部で物干し竿１６ａ、１６ｂ、１６ｃ等の保持収納部１８を構成したことを特徴とする物干し竿掛け。
【請求項２】
回転板１４上で両端を固定される物干し竿支持アーム７は、棒状部材１７、１７’を折り曲げて物干し竿を装架させるＵ字型フック１９ａ、１９ｂ、１９ｃ等を形成した如く製作され、前記回転板１４上の棒状部材１７、１７’の立ち上がり部で物干し竿１６ａ、１６ｂ、１６ｃ等の保持収納部１８を形成すると共にバルコニー内部側にくの字または直角に平行段違いで伸張した形状となし、該平行段違いの下部側棒状部材１７は物干し竿を装架可能にＵ字型フック１９ａ、１９ｂ、１９ｃ等を複数個形成し、前記平行段違い上部側棒状部材１７’に連繋し、該上部側棒状部材１７’は前記挿着された物干し竿１６ａ、１６ｂ、１６ｃが物干し竿支持アーム７から離脱しないようガイドアーム２０を形成したことを特徴とする物干し竿掛け。
【請求項３】
回転板１４上で両端を固定される物干し竿支持アーム７は、棒状部材１７、１７’を折り曲げて形成した如く製作され、前記回転板１４上の棒状部材１７、１７’の立ち上がり部で物干し竿１６ａ、１６ｂ、１６ｃ等の保持収納部１８を形成し、前記回転板１４の回転により物干し竿１６ａ、１６ｂ、１６ｃを前記保持収納部１８に装架したままで前記物干し竿支持アーム７を回動して、該物干し竿支持アーム７がバルコニー内部側に突出した状態から回転折り畳み収納状態に可変出来ることを特徴とする物干し竿掛け。
【請求項４】
物干し竿支持アーム７の高さ調整用摺動アーム８の上端に固定された支持アーム載置台１３を設け、該支持アーム載置台１３に回転可能に回転板１４を冠着し、該回転板１４上に一端を固定された物干し竿支持アーム７の棒状部材１７を設け、該棒状部材１７が立ち上がりバルコニー内部側にくの字または直角に伸張した形状となし、該棒状部材１７は物干し竿を装架可能にＵ字型フック１９ａ、１９ｂ、１９ｃ等を複数個形成すると共に、該棒状部材１７は物干し竿が前記物干し竿支持アーム７から離脱しないようガイドアーム２０を形成して回転板１４上に戻り、該回転板１４上に穿たれた摺動溝２１を貫通して前記支持アーム載置台１３に固定される構成となし、前記支持アーム載置台１３上で物干し竿支持アーム７が回動可能としたことを特徴とする物干し竿掛け。
【請求項５】
前記回転板１４は物干し竿支持アーム７の高さ調整用摺動アーム８の上端部に少なくても９０度回転可能に冠着され、該高さ調整用摺動アーム８はコンクリート製立ち上がり壁等に固定された固定部材６に上下に摺動可能に装着されている請求項１乃至請求項４記載の物干し竿掛け。
【請求項６】
前記回転板１４は物干し竿支持アーム７の高さ調整用摺動アーム８の上端部に少なくとも９０度回転可能に冠着され、該高さ調整用摺動アーム８はコンクリート製立ち上がり壁等に固定された固定部材６に上下に摺動可能に装着される構成となし、該固定部材６は前記高さ調整用摺動アーム８を最下部に下げ降ろした状態にてコンクリート製立ち上がり壁等に固定した際に物干し竿支持アーム７の先端がコンクリート製立ち上がり壁等の天端より上部にはみ出さない位置で固定することを特徴とする請求項１乃至請求項４記載の物干し竿掛け。
【発明の詳細な説明】
【０００１】
【発明の属する技術分野】
本発明は集合住宅のバルコニー等に設置される折り畳み収納型の物干し竿掛けに関するものである。
【０００２】
集合住宅のバルコニー等に設置される物干し竿掛けは、出幅の狭いバルコニーを有効に活用するために、バルコニー手摺の支柱やバルコニー手摺を構成するコンクリート立ち上がり壁に固設するための一対の固定部材と、該固定部材に取着された一対の物干し竿支持アームから成り、該一対の物干し竿支持アームは、物干し竿掛けの不使用時に前記固定部材に対してそれぞれ折り畳み収納の可能で、バルコニー側に前記それぞれの物干し竿支持アームが突出することがないよう構成されているものが多い。
【０００３】
然しながら、物干し竿掛けの物干し竿支持アームを折り畳むには、該物干し掛けに装架されている物干し竿を取り外し他の場所に収納する等の作業が必要で、実際には利用されていない機能である。
【０００４】
而して本発明は、前記物干し竿支持アームを折り畳む前に、物干し竿の片づけ及び収納が簡単行える物干し竿掛けを提供するものである。
【０００５】
【従来の技術】
従来の折り畳み収納型物干し竿掛けについて、図１１及び図１２に基づき二例説明する。
【０００６】
図１１において、一対の物干し竿掛け５１ａ、５１ｂは、物干し竿５２を装架する間隔を適宜設定してバルコニー手摺を構成するコンクリート立ち上がり壁（図示せず）に、固定部材５３ａ、５３ｂをアンカーボルト５４等を介して固着されている。前記固定部材５３ａ、５３ｂには、それぞれ丁番５５ａ、５５ｂを介して物干し竿支持アーム５６ａ、５６ｂが設けられている。物干し竿支持アーム５６ａ、５６ｂには、各々竿挿通孔５７ａ、５７ａ’、５７ａ”・・・、５７ｂ、５７ｂ’、５７ｂ”・・・が穿設されており、該竿挿通孔５７ａ、５７ａ’、５７ａ”・・・、５７ｂ、５７ｂ’、５７ｂ”・・・間に物干し竿５２を装架させて、洗濯物を干すことが出来る。
【０００７】
また、前記物干し竿支持アーム５６ａ、５６ｂは、洗濯物を干さない時、丁番５５ａ、５５ｂを中心にそれぞれ横方向に回動可能であり、この状態を図１１は、物干し竿支持アーム５６ａ’、５６ｂ’として示している。
【０００８】
而して、物干し竿支持アーム５６ａ’、５６ｂ’の状態は、物干し竿掛け５１ａ、５１ｂが、洗濯物を干さない時に、バルコニー内部側に突出して邪魔になることから、折り畳み収納する様に工夫され、前記固定部材５３ａ、５３ｂと物干し竿支持アーム５６ａ、５６ｂを、それぞれ丁番５５ａ、５５ｂにて折り畳み可能に連繋した構成としている。
【０００９】
然しながら、前記構成では、物干し竿支持アーム５６ａ’、５６ｂ’の如く折り畳む時、物干し竿５２が物干し竿支持アーム５６ａ、５６ｂ間に装架された状態では、物干し竿支持アームを折り畳むことが出来ない。
【００１０】
従って、物干し竿５２は、物干し竿支持アーム５６ａ、５６ｂを折り畳む前に、物干し竿掛け５１ａ、５１ｂより取り外し、物干し竿５２を他の場所に片づけなくてはならない。
【００１１】
図１１に示す従来製品は、前述の面倒な作業があることから、物干し竿支持アームの折り畳み収納機構は使用されていないのが現状である。
【００１２】
斯くして、図１２の従来例において、一対の物干し竿掛け５１ａ、５１ｂは、物干し竿５２を装架する間隔を適宜に設定して、コンクリート立ち上がり壁（図示せず）に固定部材５８ａ、５８ｂ、をアンカーボルト５４等を介して固着されている。前記固定部材５８ａ、５８ｂは、それぞれアーム支持軸５９ａ、５９ｂを介して回動可能な物干し竿支持アーム６０ａ、６０ｂが挟持されており、該物干し竿支持アーム６０ａ、６０ｂには各々竿挿通孔５７ａ、５７ａ’、５７ａ”・・・、５７ｂ、５７ｂ’、５７ｂ”・・・が穿設されており、該竿挿通孔５７ａ、５７ａ’、５７ａ”・・・、５７ｂ、５７ｂ’、５７ｂ”・・・間に物干し竿５２を装架させて、洗濯物を干すことが出来る。
【００１３】
また、前記物干し竿支持アーム６０ａ、６０ｂは、固定部材５８ａ、５８ｂに対してアーム支持軸５９ａ、５９ｂにて回動自在に挟持されているので、物干し竿支持アーム６０ａ、６０ｂを６０ａ’、６０ｂ’の方向、または、６０ａ”、６０ｂ”の方向に回動させ、係止ピン６１等の働きにより、それぞれの所定位置にて任意に固定出来る。斯くして、図１２の従来製品においては、物干し竿支持アーム６０ａ’、６０ｂ’の位置と６０ａ”、６０ｂ”の位置は、洗濯物を干すために利用される部位で、バルコニー内部側に物干し及び物干し竿支持アームは、突出している。然し、物干し竿支持アーム６０ａ、６０ｂの位置は、該アームが下方に下がり、コンクリート製立ち上がり壁（図示せず）に平行状態となり、バルコニー内部側には突出する物はなくなるので、この状態にを、物干し竿掛け５１ａ、５１ｂの折り畳み収納状態と位置決めしている。
【００１４】
そして、前記物干し竿支持アーム６０ａ、６０ｂの状態は、図１２の如く物干し竿５２”も竿挿通孔５７ａ、５７ｂに挿通したまま回動して、保管できるので、図１１の従来製品の如く、物干し竿掛けを折り畳み収納する場合、物干し竿を物干し竿掛けより取り外し、他に保管するような、煩わしさがなくなった。
【００１５】
然しながら、図１２の製品は、バルコニー内部側のコンクリート立ち上がり壁に沿って物干し竿５２”が装架されており、該物干し竿５２”が子供達の足掛かりとなって、バルコニー手摺を構成するコンクリート製立ち上がり壁をよじ登る手助けをしてしまうと言う危険を生み出してしまった。
【００１６】
【発明が解決しようとする課題】
而して、従来の折り畳み収納型物干し竿掛けは、図１１の従来製品の如く物干し竿掛けをバルコニー内部側に突出することなく折り畳み収納しようとすると、予め、物干し竿を物干し竿掛けより取り外し他の場所に収納、保管することを、余儀なくされる。
【００１７】
また、図１１の改良製品である図１２の製品にあっては、バルコニー内部側に突出する物干し竿支持アームを下方向に回動させて、物干し竿共、下方向に折り畳み収納しょうとすると、該物干し竿が、子供達の足掛かりとなって、バルコニー手摺を構成するコンクリート立ち上がり壁をよじ登る手助けをしてしまうと言う構造上大変危険な製品になると言う問題点があった。
【００１８】
本発明は、洗濯物を干さない時には、予め、物干し竿を物干し竿掛けより取り外し他の場所に保管収納することもなく、簡単にバルコニー内部側に突出している物干し竿支持アーム等を折り畳み収納でき、該収納の機構が、足掛かり等の構造上の欠陥を生じさせない折り畳み収納型物干し竿掛けを提供することを目的としている。
【００１９】
【課題を解決するための手段】
本発明は、集合住宅のバルコニー等に設置される折り畳み収納型物干し竿掛けに関するものである。
【００２０】
集合住宅のバルコニー等に設置される物干し竿掛けは、物干し竿や、洗濯物等の落下防止や、建物全体の美観維持も考慮され、バルコニー内部外壁部に設けたり、バルコニー手摺の支柱やバルコニー手摺を構成するコンクリート立ち上がり壁に固設するために、出幅の狭いバルコニーを物干し竿支持アームが目一杯に横断して、洗濯物のドライエリアに成っていることが多い。
【００２１】
而して、本発明は、洗濯物がない場合や、乾燥取り込み後、速やかに物干し竿掛けと、物干し竿を簡単、且つ容易に折り畳み収納可能な物干し竿掛けを提供することでバルコニーを有効利用できる。
【００２２】
本発明の構成は、物干し竿を適宜な間隔をもって装架する一対の物干し竿掛けが必要で、本発明の物干し竿掛けは、左右同一形状部材から成る物干し竿掛けを一例に詳説する。
【００２３】
本発明の物干し竿掛けは、バルコニー手摺の支柱や、バルコニー手摺を構成するコンクリート製の立ち上がり壁にアンカーボルト等の取付金具を用いて固定部材を取り付ける。
【００２４】
前記、固定部材は、物干し竿支持アームの高さ調整用摺動アームを両側より挟持する摺動子と、該摺動子に規制され上下に摺動して高さを調整された前記摺動アームの高さを維持固定するためのスプリング、係止ピンから成るロック機構を有している。
【００２５】
また、前記固定部材の摺動子を嵌合して上下に滑動する高さ調整用摺動アームの上端部にには、円盤状の物干し竿支持アーム載置台を設けてある。
【００２６】
前記、円盤状の物干し竿支持アーム載置台上には、物干し竿支持アームを固着した回転板が冠着されており、該回転板は前記アーム載置台上で少なくとも９０度回転可能に摘子が設けられている。
【００２７】
而して、本発明の一番の特徴は、前記回転板上で両端を固定されたパイプ形状体からなる棒状部材を折り曲げ加工にて形成した物干し竿支持アームを有することであり、該物干し竿支持アームは丸パイプ、丸鋼、または角パイプ、角鋼等物干しの重量に耐える材質、形状を適宜選択して製作されている。また、上記棒状部材は、アルミダイキャスト等に於いても製造可能な形状材である。
【００２８】
前記回転板上で物干し竿支持アームの両端を固定する位置は、固定されて、立ち上がる物干し竿支持アームの間隔が、装架される物干し竿の直径より大きく、該物干し竿を収納保持した状態で少なくとも一定方向に９０度回転出来る間隙を有していることであり、通常は一定方向に収納保持される物干し竿を遊嵌した状態で複数本の物干し竿が、平行に立ち上がった物干し竿支持アーム間で積み重ねられ、遊嵌した状態で保持される構成とした。
【００２９】
更に、物干し竿支持アームは、前記物干し竿の保持間隙を設けた後、バルコニー内部側に、くの字または直角に平行段違いで伸張した形状となし、平行段違いの下部側は複数本の物干し竿を装架可能にＵ字型を複数個形成し、前記平行段違い上部側は前記物干し竿が、物干し竿支持アームから離脱しないようガイドアームを形成している。
【００３０】
斯くして、本発明は、上記形状を有する一対の物干し竿掛けをバルコニー手摺を形成するコンクリート製立ち上がり壁に適宜間隔を持って固着する。
【００３１】
物干し竿掛けは、立ち上がり壁等にアンカーボルト等固定金具を介して固着される固定部材、該固定部材に対して摺動し、高さを調整出来る摺動アーム、該摺動アーム上部に設けられた円盤状支持アーム載置台、該円盤状支持アーム載置台に冠着して回転可能に設けられる回転板、該回転板上には物干し竿を保持収納しても少なくとも一定方向に９０度回転可能な間隔を有して植設、固定された棒状部材から成る物干し竿支持アームから構成されている。
【００３２】
前記回転板上で両端を固定され立ち上がる物干し竿支持アームの間隔は、後で載置収納される物干し竿の直径より十分に大きく取り、前記回転板が物干し竿支持アームをバルコニー内部側に突出する状態となっても、少なくとも９０度回転することにより載置収納される物干し竿を挟持するような状態で複数本の物干し竿を積み重ね遊嵌している。
【００３３】
而して、物干し竿支持アームの下部には、前述の様に構成された物干し竿保持収納部を設け、該物干し竿支持アームは更にバルコニー内部側にくの字または直角に平行段違いで伸張しているような形状となし、該平行段違いの下部側は複数本の物端竿を装架可能にＵ字形フック部を形成し前記平行段違い上部側は物干し竿が物干し竿支持アームから離脱しないようガイドアームを形成した。
【００３４】
本発明の物干し竿掛けは、上記構成とすることにより、洗濯物を干す場合、バルコニー手摺内部側に一対の物干し竿支持アームを突設させて配置し、物干し竿を装架して洗濯物を干すことが出来る。
【００３５】
乾いた洗濯物を取り込んだ後は、前記支持アーム載置台を互いに向き合う方向で９０度回転せしめ、物干し竿支持アームを前記立ち上がり壁と物干し竿支持アームの長手方向を並列させた状態に折り畳むと共に、物干し竿を物干し竿支持アームの固定位置部分に設けた物干し竿保持収納部に収納した。
【００３６】
本発明は、上述した構成とすることにより、物干し竿支持アーム載置台と該載置台上で両端を固定され立ち上がるパイプから成る物干し竿収納部で積み重ねて物干し竿を収納載置出来るため、従来の物干し竿掛けの如く、物干し竿支持アームを折り畳み収納する場合に、物干し竿を物干し竿掛けから取り外して他の場所に収納保管する煩わしい作業がなくなった。
【００３７】
また、本発明の物干し竿収納載置場所は、その構成上バルコニー手摺やコンクリート立ち上がり壁上部に位置するため、収納保管された物干し竿が該部分の足掛かりとなり構造上危険となることはない。
【００３８】
更に、本発明は物干し竿を前記物干し竿収納部に収納載置したまま、対向して設けられた物干し竿支持アームを載置台上で９０度回転させ、バルコニー内部側に突出している前記物干し竿支持アームをバルコニー手摺を構成する立ち上がり壁と並列状態に折り畳むことが容易に行える。
【００３９】
【発明の実施の形態】
【実施例１】
本発明の実施の形態を図１乃至図１０に基づき説明する。図１は、本発明の物干し竿掛けとバルコニー手摺を構成する立ち上がりコンクリート壁及び該コンクリート壁上端に設けられるトップレールとの関係を説明する側面図である。
【００４０】
図１において、１は本発明の物干し竿掛け本体を示し、該物干し竿掛け本体１はバルコニー２の出幅先端部でバルコニー手摺を構成するコンクリート製の立ち上がり壁３、該立ち上がり壁３の上端部に設けられたトップレール４から成る。
【００４１】
本発明の物干し竿掛け本体１は、コンクリート製の立ち上がり壁３にアンカーボルト５ａ、５ｂ等の取付金具を介して固定部材６を取り付ける。
【００４２】
前記固定部材６は物干し竿支持アーム７の高さ調整用摺動アーム８を両側より挟持する摺動子９ａ、９ｂと、該摺動子９ａ、９ｂに規制され上下動する前記高さ調整用摺動アーム８の調整位置を維持固定するためのスプリング１０、係止ピン１１から成るロック機構１２を有している。
【００４３】
また、前記固定部材６の摺動子９ａ、９ｂを嵌合して上下に滑動する高さ調整用摺動アーム８の上端部には円盤状支持アーム載置台１３を設けている。
前記円盤状支持アーム載置台１３には物干し竿支持アーム７を固着した回転板１４が冠着されており、該回転板１４は前記円盤状支持アーム載置台１３上で少なくとも９０度回転可能で、該回転を操作する摘子１５が設けられている。
【００４４】
而して、本発明の一番の特徴は、物干し竿１６ａ、１６ｂ、１６ｃを装架するために前記回転板１４上で両端を固定された物干し竿支持アーム７の構成や形状であり、該物干し竿支持アーム７は、アルミやステンレス、スチール製の丸パイプ、丸鋼、または角パイプ、角鋼等物干しの重量に耐える材質を適宜選択して折り曲げ加工して製作されたり、アルミダイキャストにて製作される棒状部材１７、１７’である。
【００４５】
前記回転板１４上で物干し竿支持アーム７を固定する位置は、固定されて立ち上がる物干し竿支持アーム７の棒状部材１７、１７’の間隔が、装架される物干し竿１６ａ’の直径より大きく、該物干し竿１６ａ’を収納保持した状態で少なくとも一定方向に９０度回転出来る間隙Ｒを有していることであり、通常は一定方向に収納保持される物干し竿１６ａ、１６ｂ、１６ｃを遊嵌した状態で積み重ねられ、保持される構成としている。
【００４６】
更に物干し竿支持アーム７は、前記回転板１４上で棒状部材１７、１７’を用い物干し竿１６ａ、１６ｂ、１６ｃの保持収納部１８を設けた後、バルコニー内部側にくの字、または、直角に平行段違いで伸張した形状となし、平行段違いの下部側棒状部材１７は、複数本の物干し竿１６ａ、１６ｂ、１６ｃを装架可能にＵ字型フック１９ａ、１９ｂ、１９ｃを複数個形成し、前記平行段違い上部側棒状部材１７’に連繋し、該上部側棒状部材１７’は前記挿着された物干し竿１６ａ、１６ｂ、１６ｃが物干し竿支持アーム７から離脱しないようガイドアーム２０を形成している。
【００４７】
図２乃至図７は、上記物干し竿支持アーム７の駆動操作を説明するもので、図２は物干し支持アーム７の側面図を示し、該図２においては、物干し竿１６ａ、１６ｂ、１６ｃが、Ｕ字型フック１９ａ、１９ｂ、１９ｃに装架され、バルコニー内部側（矢印Ａ）に突出して、洗濯物を干せる状態にある。
【００４８】
図３は、前記図２を平面図にて示したもので、対向して設けられた同一部材の物干し支持アーム７と物干し支持アーム７’は適宜な間隔を有して立ち上がり壁３（図１参照）に固定されている一対の物干し竿掛けを構成しており、該一対の物干し支持アーム７、７’間に物干し竿１６ａ、１６ｂ、１６ｃが装架されている。
【００４９】
図４は、洗濯物を取り込み物干し竿１６ａ、１６ｂ、１６ｃを物干し支持アーム７の下部に設けられた保持収納部１８に積み重ね収納した状態を示す側面図であり、図５は図４の平面図にて、前記一対の物干し竿支持アーム７、７’の関連を示している。
【００５０】
図５にて示された様に物干し竿１６ａ、１６ｂ、１６ｃは回転板１４上で両端を固定された物干し竿支持アーム７の棒状部材１７、１７’が形成する保持収納部１８に遊嵌した状態にて保持されている。
【００５１】
前記回転板１４上で物干し竿支持アーム７を固定する位置は、固定されて立ち上がる物干し竿支持アーム７の間隔が装架される物干し竿１６ａ、１６ｂ、１６ｃのの直径より大きく、該物干し竿を収納保持した状態で少なくとも一定方向に収納保持される物干し竿１６ａ、１６ｂ、１６ｃを遊嵌した状態で積み重ねられ保持される構成とした。
【００５２】
図６は、前記物干し竿支持アーム７、７’を図５矢印方向に回動し、バルコニー手摺構成様立ち上がり壁に平行する状態で折り畳まれた状態を示す側面図であり、図７は図６の平面図を示している。
【００５３】
図６及び図７に於いて回転板１４、１４’は図５より、それぞれ９０度回転して物干し竿支持アーム７、７’を折り畳み、前記物干し竿１６ａ、１６ｂ、１６ｃは積み重ねられて物干し竿支持アーム下端に設けられた物干し竿の収納保持部１８、１８’に収まっており、該物干し竿１６ａ、１６ｂ、１６ｃの収納位置は、前記立ち上がり壁３の上部に位置するために足掛かりとなることはない。
【００５４】
更に、図８は、前記固定部材６と摺動アームの８の関係を詳説するための拡大要部側面図であり、図９は、図８におけるＡ−Ａ断面図である。
【００５５】
図８及び図９において、６は固定部材、７は物干し竿支持アーム、８は高さ調整用摺動アーム、９ａ、９ｂは前記固定部材８から突設して設けられた摺動子、１０はスプリング、１１は係止ピンから成るロック機構で、該ロック機構１１はレバー２０の働きにより、前記ロック機構１１をＯＮ−ＯＦＦ操作できる。
【００５６】
また前記固定部材６の摺動子９ａ、９ｂを嵌合して上下に滑動する高さ調整用摺動アーム８は前記ロック機構１１を開放して摺動させることにより、物干し竿支持アーム７の高さ調整が行え、洗濯物をバルコニーの高い位置で干すことが可能になるほか、前記固定部材６の立ち上がり壁への取付位置を下げることにより、折り畳み収納した前記物干し竿支持アームを図１にて示したトップレール４の天端より低く下げ降ろしして、建物外部から物干し竿掛けが目立たない構成とすることもできる。
【００５７】
【実施例２】
図１０は上述した実施例１の物干し竿支持アーム７と回転板１４及び支持アーム載置台１３との構成を変形せしめた一例を示す斜視組立説明図であり、本実施例に於いては、回転板１４に回転板の回動を規制する機構を取り入れている所に特徴を有する。
【００５８】
即ち、図１０は高さ調整用摺動アーム８の上端に固定された支持アーム載置台１３を設け、該支持アーム載置台１３に回転可能に回転板１４を冠着し、該回転板１４上に一端を固定された物干し竿支持アーム７の棒状部材１７を設ける。
【００５９】
前記棒状部材１７が回転板１４に固定されて立ち上がり、実施例１と同様にバルコニー内部側にくの字、または、直角に伸張した形状で物干し竿支持アーム７を形成して棒状部材１７’として回転板１４上に戻り、該回転板１４上に穿たれた摺動溝２１を貫通して、前記支持アーム載置台１３に固定される構成となし、前記支持アーム載置台１３上で物干し竿支持アーム７が摺動溝２１に規制された回動を可能としている。
【００６０】
而して、本発明に於いて、回転板１４上で両端を固定される物干し竿支持アーム７は、棒状部材１７、１７’を折り曲げて物干し竿を装架させるＵ字型フック１９ａ、１９ｂ、１９ｃ等を形成した如く製作され、前記回転板１４上の棒状部材１７、１７’の立ち上がり部で物干し竿１６ａ、１６ｂ、１６ｃ等の保持収納部１８を構成したものである。
【００６１】
また、回転板１４上で両端を固定される物干し竿支持アーム７は、棒状部材１７、１７’を折り曲げて物干し竿を装架させるＵ字型フック１９ａ、１９ｂ、１９ｃ等を形成した如く製作され、前記回転板１４上の棒状部材１７、１７’の立ち上がり部で物干し竿１６ａ、１６ｂ、１６ｃ等の保持収納部１８を形成すると共にバルコニー内部側にくの字または直角に平行段違いで伸張した形状となし、該平行段違いの下部側棒状部材１７は物干し竿を装架可能にＵ字型フック１９ａ、１９ｂ、１９ｃ等を複数個形成し、前記平行段違い上部側棒状部材１７’に連繋し、該上部側棒状部材１７’は前記挿着された物干し竿１６ａ、１６ｂ、１６ｃが物干し竿支持アーム７から離脱しないようガイドアーム２０を形成した。
【００６２】
更に、本発明に於いては、回転板１４上で両端を固定される物干し竿支持アーム７は、棒状部材１７、１７’を折り曲げて形成した如く製作されており、前記回転板１４上の棒状部材１７、１７’の立ち上がり部で物干し竿１６ａ、１６ｂ、１６ｃ等の保持収納部１８を形成し、前記回転板１４の回転により物干し竿１６ａ、１６ｂ、１６ｃを前記保持収納部１８に装架したままで前記物干し竿支持アーム７を回動して、該物干し竿支持アーム７がバルコニー内部側に突出した状態から回転折り畳み収納状態に可変出来る構成とした。
【００６３】
本発明の他の実施例として、物干し竿支持アーム７の高さ調整用摺動アーム８の上端に固定された支持アーム載置台１３を設け、該支持アーム載置台１３に回転可能に回転板１４を冠着し、該回転板１４上に一端を固定された物干し竿支持アーム７の棒状部材１７を設け、該棒状部材１７が立ち上がりバルコニー内部側にくの字または直角に伸張した形状となし、該棒状部材１７は物干し竿１６ａ、１６ｂ、１６ｃを装架可能にＵ字フック１９ａ、１９ｂ、１９ｃ等を複数個形成すると共に、該棒状部材１７は物干し竿１６ａ、１６ｂ、１６ｃが前記物干し竿支持アーム７から離脱しないようガイドアーム２０を形成して回転板１４上に戻り、該回転板１４上に穿たれた摺動溝２１を貫通して前記支持アーム載置台１３に固定される構成を提案している。
【００６４】
【発明の効果】
本発明は、以上説明したように構成されているので、物干し竿支持アームの棒状部材により、物干し竿が回転板上で収納載置出来るため、従来の物干し竿掛けの如く、物干し竿支持アームを折り畳み収納する場合に、物干し竿を物干し竿掛けから取り外して他の場所に保管収納する煩わしい作業がなくなり、簡単に物干し竿掛けの折り畳み収納が可能となった。
【００６５】
また、本発明の物干し竿収納載置場所は、その構成上、バルコニー手摺やコンクリート製立ち上がり壁上部に位置するため、収納保管された物干し竿が、該部分で足掛かりとなり構造上危険となることがなくなった。
【図面の簡単な説明】
【図１】本発明の実施例を示す側面図である。
【図２】本発明の駆動操作を説明する側面図である。
【図３】本発明の駆動操作を説明する平面図である。
【図４】本発明の駆動操作を示す側面図である。
【図５】本発明の駆動操作を示す平面図である。
【図６】本発明の駆動操作を示す側面図である。
【図７】本発明の駆動操作を説明する平面図である。
【図８】本発明の摺動アームの動きを説明する側面図である。
【図９】図８のＡ−Ａ断面図である。
【図１０】本発明の他の実施例を示す斜視組立説明図である。
【図１１】本発明に関連する従来例を説明する要部斜視説明図である。
【図１２】本発明に関連する他の従来例を示す要部斜視説明図である。
【符号の説明】
１  物干し竿掛け本体
２  バルコニー
３  コンクリート立ち上がり壁
４  トップレール
５ａ、５ｂ  アンカーボルト
６  固定部材
７  物干し竿支持アーム
８  高さ調整用摺動アーム
９ａ、９ｂ  摺動子
１０  スプリング
１１  係止ピン
１２  ロック機構
１３  支持アーム載置台
１４  回転板
１５  摘子
１６ａ、１６ｂ、１６ｃ  物干し竿
１７、１７’  棒状状部材
１８  保持収納部
１９ａ、１９ｂ、１９ｃ、Ｕ字型フック
２０  ガイドアーム
２１  摺動溝
５１ａ、５１ｂ  物干し竿掛け
５２  物干し竿
５３ａ、５３ｂ  固定部材
５４ａ、５４ｂ、５４ｃ、５４ｄ  アンカーボルト
５５ａ、５５ｂ丁番
５６ａ、５６ｂ  物干し竿支持アーム
５７ａ、５７ａ’、５７ａ”  ・・・  竿挿通孔
５７ｂ、５７ｂ’、５７ｂ”・・・竿挿通孔
５８ａ、５８ｂ  固定部材
５９ａ、５９ｂ  アーム支持軸
６０ａ、６０ｂ  物干し竿支持アーム
６１ａ、６１ａ’、６１ａ”、・・・係止ピン
【図１】
2004305448.tif 000003
【図２】
2004305448.tif 000004
【図３】
2004305448.tif 000005
【図４】
2004305448.tif 000006
【図５】
2004305448.tif 000007
【図６】
2004305448.tif 000008
【図７】
2004305448.tif 000009
【図８】
2004305448.tif 000010
【図９】
2004305448.tif 000011
【図１０】
2004305448.tif 000012
【図１１】
2004305448.tif 000013
【図１２】
2004305448.tif 000014